(57)【要約】【課題】掃除機ヘッドと掃除機を接続する接続パイプにおいて特定の掃除機のホースに接続できる掃除機ヘッド用接続パイプを提供する。【解決手段】掃除機ヘッド用接続パイプ１０は、ホース接続部１０ａとヘッド接続部１０ｂを有し、ホース接続部１０ａの第１の筒部１１の一端の外径である第１の外径Ｋ１、第１の筒部１１の他端の外径である第２の外径Ｋ２、第２の筒部の一端の外径である第３の外径Ｋ３、第２の筒部の他端の外径である第４の外径Ｋ４、第１の筒部１１の軸方向の奥行である第１の奥行Ｌ１、第１の筒部１１と第２の筒部１２の軸方向の奥行の和である第２の奥行Ｌ２のそれぞれは、予め定められた値を有している。このような構成を有する掃除機ヘッド用接続パイプ１０は、掃除機ヘッドを有効に使用することができなかった掃除機においても、簡易に効果的な使用が可能となる。【選択図】図１
0003216963.tif 000002
【実用新案登録請求の範囲】
【請求項１】
掃除機のホースと接続するホース接続部と、掃除機ヘッドのパイプと接続するヘッド接続部を有する筒状の掃除機ヘッド用接続パイプであって、
前記ホース接続部は、先端部に設けられた第１の筒部と、前記第１の筒部と一体的に設けられた第２の筒部を有し、
前記第１の筒部の一端の外径である第１の外径、前記第１の筒部の他端の外径である第２の外径、前記第２の筒部の一端の外径である第３の外径及び前記第２の筒部の他端の外径である第４の外径のそれぞれは、予め定められた値であり、
前記第１の筒部の軸方向の奥行である第１の奥行及び前記第１の筒部の奥行と前記第２の筒部の軸方向の奥行の和である第２の奥行のそれぞれは、予め定められた値であり、
前記ホース接続部の外面が、前記ホースの内面に嵌め込まれるように形成されており、前記掃除機ヘッドのパイプの外面が、前記ヘッド接続部の内面に、嵌め込まれるように形成されていることを特徴とする掃除機ヘッド用接続パイプ。
【請求項２】
前記第１の外径の予め定められた値は３４．１ｍｍであり、前記第２の外径の予め定められた値は３５．０ｍｍであり、前記第３の外径の予め定められた値は３５．３ｍｍであり、前記第４の外径の予め定められた値は３５．８ｍｍであり、前記第１の奥行の予め定められた値は１７．７ｍｍ以内であり、前記第２の奥行の予め定められた値は２７．５ｍｍ以内であり、
前記第１の外径から第４の外径の予め定められた値の数値のそれぞれは、許容範囲を有しており、
前記許容範囲は、前記それぞれの数値を中心として、プラスマイナス１．０ｍｍ以内であることを特徴とする請求項１に記載の掃除機ヘッド用接続パイプ。
【請求項３】
前記第１の外径の予め定められた値は３３．４ｍｍであり、前記第２の外径の予め定められた値は３４.０ｍｍであり、前記第３の外径の予め定められた値は３５．６ｍｍであり、前記第４の外径の予め定められた値は３６．２ｍｍであり、前記第１の奥行の予め定められた値は１１．８ｍｍ以内であり、前記第２の奥行の予め定められた値は２２．９ｍｍ以内であり、
前記第１の外径から第４の外径の予め定められた値の数値のそれぞれは、許容範囲を有しており、
前記許容範囲は、前記それぞれの数値を中心として、プラスマイナス１．０ｍｍ以内であることを特徴とする請求項１に記載の掃除機ヘッド用接続パイプ。
【考案の詳細な説明】
【技術分野】
【０００１】
本考案は、掃除機ヘッド用接続パイプに関する。
【背景技術】
【０００２】
掃除機に接続して使用する掃除機ヘッドが開発されており、掃除機との接続は、例えば掃除機のホースの内径に合わせるように、掃除機ヘッドの接続部の外径を形成する必要があり、掃除機の吸い込みホース部に接続可能に設定された外径又は内径を有するものが開示されている。
【先行技術文献】
【特許文献】
【０００３】
【特許文献１】実登３２００３３９号公報
【考案の概要】
【考案が解決しようとする課題】
【０００４】
掃除機ヘッドと多種にわたる掃除機を接続するためには、接続パイプが必要となるが、一部の掃除機を対象にしているものであり、多種の掃除機と接続できる掃除機ヘッド用接続パイプが求められていた。
【０００５】
本考案は、こうした点に鑑みてなされたものであり、掃除機ヘッドと掃除機を接続する接続パイプにおいて特定の掃除機のホースに接続できる掃除機ヘッド用接続パイプを提供するものである。
【課題を解決するための手段】
【０００６】
上記課題を解決するために、本考案に係る掃除機ヘッド用接続パイプは、掃除機のホースと接続するホース接続部と、掃除機ヘッドのパイプと接続するヘッド接続部を有する筒状の掃除機ヘッド用接続パイプであって、前記ホース接続部は、先端部に設けられた第１の筒部と、前記第１の筒部と一体的に設けられた第２の筒部を有し、前記第１の筒部の一端の外径である第１の外径、前記第１の筒部の他端の外径である第２の外径、前記第２の筒部の一端の外径である第３の外径及び前記第２の筒部の他端の外径である第４の外径のそれぞれは、予め定められた値であり、前記第１の筒部の軸方向の奥行である第１の奥行及び前記第１の筒部の奥行と前記第２の筒部の軸方向の奥行の和である第２の奥行のそれぞれは、予め定められた値であり、前記ホース接続部の外面が、前記ホースの内面に嵌め込まれるように形成されており、前記掃除機ヘッドのパイプの外面が、前記ヘッド接続部の内面に、嵌め込まれるように形成されていることを特徴とする。
【０００７】
本考案に係る掃除機ヘッド用接続パイプの他の態様について、前記第１の外径の予め定められた値は３４．１ｍｍであり、前記第２の外径の予め定められた値は３５．０ｍｍであり、前記第３の外径の予め定められた値は３５．３ｍｍであり、前記第４の外径の予め定められた値は３５．８ｍｍであり、前記第１の奥行の予め定められた値は１７．７ｍｍ以内であり、前記第２の奥行の予め定められた値は２７．５ｍｍ以内であり、前記第１の外径から第４の外径の予め定められた値の数値のそれぞれは、許容範囲を有しており、前記許容範囲は、前記それぞれの数値を中心として、プラスマイナス１．０ｍｍ以内であることが好ましい。また、前記第１の外径の予め定められた値は３３．４ｍｍであり、前記第２の外径の予め定められた値は３４.０ｍｍであり、前記第３の外径の予め定められた値は３５．６ｍｍであり、前記第４の外径の予め定められた値は３６．２ｍｍであり、前記第１の奥行の予め定められた値は１１．８ｍｍ以内であり、前記第２の奥行の予め定められた値は２２．９ｍｍ以内であり、前記第１の外径から第４の外径の予め定められた値の数値のそれぞれは、許容範囲を有しており、前記許容範囲は、前記それぞれの数値を中心として、プラスマイナス１．０ｍｍ以内であることが好ましい。
【考案の効果】
【０００８】
本考案によれば、掃除機ヘッドと掃除機を接続する接続パイプにおいて特定の掃除機のホースに接続できる掃除機ヘッド用接続パイプを提供することができる。
【図面の簡単な説明】
【０００９】
【図１】実施形態の掃除機ヘッド用接続パイプの一例を示す模式図である。
【図２】実施形態の掃除機ヘッド用接続パイプの他の一例を示す模式図である。
【考案を実施するための形態】
【００１０】
以下、本考案の掃除機ヘッド用接続パイプの実施形態を、図１及び図２を用いて説明する。
【００１１】
実施形態の掃除機ヘッド用接続パイプ１０は、掃除機のホースと接続するホース接続部１０ａと、掃除機ヘッドのパイプと接続するヘッド接続部１０ｂを有する筒状に形成された接続パイプである。なお、ここで述べる外径は、外周の直径である。
【００１２】
ホース接続部１０ａは、先端部に設けられた第１の筒部１１と、第１の筒部１１と一体的に設けられた第２の筒部１２を有しており、ホース接続部１０ａの外面が、掃除機のホースの内面に嵌め込まれるように形成されており、掃除機ヘッドのパイプの外面が、ヘッド接続部１０ｂの内面に、嵌め込まれるように形成されている。また、実施形態において、ホース接続部１０ａは、先端部から外径が次第に大きくなるようにテーパー状で形成されており、このような構成にすることで、掃除機のホースに嵌め込まれたホース接続部１０ａは、掃除機のホースの内面に密着し、より強固な接続とすることができる。なお、ヘッド接続部１０ｂにおける筒部についても、適宜最適な構成に設計するとよい。
【００１３】
掃除機ヘッド用接続パイプ１０は、図１及び図２に示すように、第１の筒部１１の一端の外径である第１の外径Ｋ１、第１の筒部１１の他端の外径である第２の外径Ｋ２、第２の外径Ｋ２と連続的に設けられている第２の筒部の一端の外径である第３の外径Ｋ３及び第２の筒部の他端の外径である第４の外径Ｋ４のそれぞれは、予め定められた値を有している構成となっている。
【００１４】
また、第１の筒部１１の軸方向の奥行である第１の奥行Ｌ１及び第１の筒部１１と第２の筒部１２の軸方向の奥行の和である第２の奥行Ｌ２のそれぞれは、予め定められた値を有している構成となっている。
【００１５】
例えば、ある掃除機に接続するための構成として、図１に示すように掃除機ヘッド用接続パイプ１０は、第１の外径Ｋ１が３４．１ｍｍであり、第２の外径Ｋ２が３５．０ｍｍであり、第３の外径Ｋ３が３５．３ｍｍであり、第４の外径Ｋ４が３５．８ｍｍであり、また、第１の奥行Ｌ１が１７．７ｍｍであり、第２の奥行Ｌ２が２７．５ｍｍであるように形成されている。
【００１６】
なお、上記の例において、第１の外径Ｋ１から第４の外径Ｋ４のそれぞれの数値は、許容範囲を有しており、この許容範囲は、それぞれの数値を基準として、プラスマイナス１．０ｍｍ以内であり、また、第１の奥行Ｌ１は、１７．７ｍｍ以内であり、第２の奥行Ｌ２は、２７．５ｍｍ以内である。
【００１７】
また、例えば、他のある掃除機に接続するための構成として、図２に示すように掃除機ヘッド用接続パイプ１０は、第１の外径Ｋ１が３３．４ｍｍであり、第２の外径Ｋ２が３４.０ｍｍであり、第３の外径Ｋ３が３５．６ｍｍであり、第４の外径Ｋ４が３６．２ｍｍであり、また、第１の奥行Ｌ１が１１．８ｍｍであり、第２の奥行Ｌ２が２２．９ｍｍであるように形成されている。
【００１８】
なお、上記の例において、第１の外径Ｋ１から第４の外径Ｋ４のそれぞれの数値は、許容範囲を有しており、この許容範囲は、それぞれの数値を基準として、プラスマイナス１．０ｍｍ以内であり、また、第１の奥行Ｌ１は、１１．８ｍｍ以内であり、第２の奥行Ｌ２は、２２．９ｍｍ以内である。
【００１９】
上記のような構成を有する掃除機ヘッド用接続パイプ１０は、掃除機ヘッドを有効に使用することができなかった掃除機においても、掃除機ヘッドを使用することが可能となる。例えば、使用している掃除機に、多様な掃除機ヘッド用接続パイプの使用を望んだ場合に、従来のものでは対応が困難であったものが、本考案の掃除機ヘッド用接続パイプ１０を使用することで対応できるという顕著な効果を有している。
【００２０】
以上、本考案の有する特徴及び優れた点を上記実施形態に記載したが、本考案は、本願の実用新案登録請求の範囲で使用されている言葉を広く一般的な意味に拡張して実施することができる。
【００２１】
また、本考案の掃除機ヘッド用接続パイプは、大きさや形状、素材の種類、厚さ、重さなどについては多様な実施形態が可能であり、それらについて本実施形態と異なる形態による実施は、本考案の技術的範囲に含まれる。
【符号の説明】
【００２２】
１０    掃除機ヘッド用接続パイプ
１０ａ  ホース接続部
１０ｂ  ヘッド接続部
１１    第１の筒部
１２    第２の筒部
Ｋ１    第１の外径
Ｋ２    第２の外径
Ｋ３    第３の外径
Ｋ４    第４の外径
Ｌ１    第１の奥行
Ｌ２    第２の奥行
【図１】
0003216963.tif 000003
【図２】
0003216963.tif 000004